(57)【要約】      （修正有）【課題】光配線設備において、使用していない開通待ちのジャンパーケーブルの芯線（光ケーブル）を、慎重・安全かつ柔軟に保持することができ、ジャンパーケーブルの芯線の接続作業の効率性を向上させる光ケーブル保持部材及び保持ユニットを提供する。【解決手段】先端部に光コネクタが付与されている光ケーブルを保持する光ケーブル保持部材２−１〜２−１６は、光ファイバーの光コネクタの挿入又は抜き出しを可能とする筒状の１又は複数の光コネクタ挿抜部２３と、磁石とを備える。光ケーブル保持ユニット１は、複数の光ケーブル保持部材と、複数の光ケーブル保持部材を収納する本体部３とを備える。【選択図】図２
0003204959.tif 000002
【実用新案登録請求の範囲】
【請求項１】
先端部に光コネクタが付与されている光ケーブルを保持する光ケーブル保持部材において、
上記光ケーブルの光コネクタの挿入又は抜き出しを可能とする筒状の１又は複数の光コネクタ挿抜部と、
磁石と
を備えることを特徴とする光ケーブル保持部材。
【請求項２】
上記各光コネクタ挿抜部を固定する基体を備え、
上記磁石が、上記各光コネクタ挿抜部を固定する基体の端面と対向する端面に設けられていることを特徴とする請求項１に記載の光ケーブル保持部材。
【請求項３】
上記各光コネクタ挿抜部が、弾性部材で形成されていることを特徴とすることを特徴とする請求項１又は２に記載の光ケーブル保持部材。
【請求項４】
上記光ケーブルが、光配線架に設けられている成端ジャックに接続される光ケーブルの芯線であって、色及び芯線番号が付されているものであり、
上記各光コネクタ挿抜部が、光ケーブルの芯線である上記光ファイバーに付されている色に応じた有色の弾性部材であって、上記芯線番号に対応する芯線識別番号が付されているものである
ことを特徴とする光ケーブル保持部材。
【請求項５】
請求項１〜４のいずれかに記載の複数の光ケーブル保持部材と、
上記複数の光ケーブル保持部材を収納する本体部と
を備えることを特徴とする光ケーブル保持ユニット。
【請求項６】
上記本体部は、
長手方向に、上記複数の光ケーブル保持部材を収納するものであって、
上記複数の光ケーブル保持部材のそれぞれの収納部の内面に、上記各光ケーブル保持部材の移動をガイドするガイド部
を有し、
上記各光ケーブル保持部材が、
基体を有するものであり、
上記基体の両端部又はいずれか一方の端部に、上記本体部のガイド部に沿ってガイドされる被ガイド部
を有する
ことを特徴とする光ケーブル保持ユニット。
【考案の詳細な説明】
【技術分野】
【０００１】
本考案は、光ケーブル保持部材及び光ケーブル保持ユニットに関し、例えば、光配線設備で成端された通信ケーブルに接続する光ファイバーケーブルのそれぞれの芯線を固定する光ケーブル保持部材及び光ケーブル保持ユニットに適用し得るものである。
【背景技術】
【０００２】
例えば、電話局の所内の光伝送装置（例えば、ＯＬＴ：Optical  Line  Terminal）と、幹線系の所外光ファイバーケーブルとの間には、光配線設備が設けられている。
【０００３】
光配線設備では、例えば、ＩＤＭ（Integrated  Distribution  Module）やＦＴＭ（Fiber  Termination  Module）等と呼ばれる光配線架に所外光ファイバーが成端され、光回線の開通要求を受けた作業員が、成端された所外光ファイバーケーブルのそれぞれの芯線を、ジャンパーケーブル（光ファイバーケーブル）のそれぞれの芯線と接続して、光回線を開通させている。なお、光回線の廃止や光回線の切替要求等を受けた場合も、作業員が、指示されたジャンパーケーブルの芯線の接続切断や接続切替等も行なっている。
【０００４】
一般的に、ジャンパーケーブルの芯線の接続作業を行なう作業員は、光回線の開通待ちの芯線を待機させておき、正式な開通要求を受けた後に、指示された芯線を、指示されたポート番号の成端ジャックに接続している。光配線架には、開通待ちの芯線が多数あるため、作業員は、開通待ちの多数の芯線を、例えば輪ゴム等で束ねた状態で、光配線架付近に載置している。
【０００５】
従来、作業員の接続作業を容易にするために、特許文献１に記載の技術がある。特許文献１の記載技術は、開通待ちの光コネクタをケースの一面に１列又は複数列に配列して保持する光コネクタ配列ケース本体を、予めネジなどの固定部材で壁面に固定するものである。
【先行技術文献】
【特許文献】
【０００６】
【特許文献１】特開２０１０−２５６５２５号公報
【考案の概要】
【考案が解決しようとする課題】
【０００７】
しかしながら、上述したように、光配線架には、開通済みのジャンパーケーブルの芯線だけでなく、開通待ちのジャンパーケーブルの芯線も多数あり、多数のジャンパーケーブルの芯線が重なるように入り乱れた状態で設けられており、輪ゴム等で束ねられた開通待ちの多数のジャンパーケーブルの中から、作業員が所望のジャンパーケーブルの芯線を探し出すために時間を要しているという課題がある。
【０００８】
また、光ファイバーであるジャンパーケーブルの芯線は、繊細な構造であるため、折り曲げ等が生じると、その芯線は使用できなくなってしまう。そのため、開通待ちのジャンパーケーブルの芯線を光配線架に保持する場合には、ジャンパーケーブルの芯線の折り曲げ等がなされないように、慎重・安全かつ柔軟に保持することが求められる。
【０００９】
そのため、光配線設備において、使用していない開通待ちのジャンパーケーブルの芯線（光ケーブル）を、慎重・安全かつ柔軟に保持することができ、ジャンパーケーブルの芯線の接続作業の効率性を向上させることができる光ケーブル保持部材及び光ケーブル保持ユニットが求められている。
【課題を解決するための手段】
【００１０】
上述した課題を解決するために、第１の本考案に係る光ケーブル保持部材は、先端部に光コネクタが付与されている光ケーブルを保持する光ケーブル保持部材において、（１）光ファイバーの光コネクタの挿入又は抜き出しを可能とする筒状の１又は複数の光コネクタ挿抜部と、（２）磁石とを備えることを特徴とする。
【００１１】
第２の本考案に係る光ケーブル保持ユニットは、第１の本考案に係る複数の光ケーブル保持部材と、複数の光ケーブル保持部材を収納する本体部とを備えることを特徴とする。
【考案の効果】
【００１２】
光配線設備において、使用していない開通待ちのジャンパーケーブルの芯線（光ケーブル）を、慎重・安全かつ柔軟に保持することができ、ジャンパーケーブルの芯線の接続作業の効率性を向上させることができる。
【図面の簡単な説明】
【００１３】
【図１】実施形態に係る光配線架の構成を示す構成図である。
【図２】実施形態に係る光ケーブル保持ユニットの構成を示す構成図である。
【図３】実施形態に係る１個の光ケーブル保持部材と１個の本体部との関係を説明する説明図である。
【図４】実施形態に係る光ケーブル保持部材の構成を示す背面斜視図である。
【図５】実施形態に係る光コネクタ挿抜部への光コネクタの挿入を説明する説明図である。
【図６】実施形態に係る光コネクタ挿抜部からの光コネクタの取り出しを説明する説明図である。
【図７】変形実施形態に係る光ケーブル保持部材の構成を示す構成図である。
【図８】ジャンパーケーブル７の構成を説明する説明図である。
【考案を実施するための形態】
【００１４】
（Ａ）主たる実施形態
以下では、本考案に係る光ケーブル保持部材及び光ケーブル保持ユニットの実施形態を、図面を参照しながら詳細に説明する。
【００１５】
この実施形態は、電話局の光配線設備における、例えばＩＤＭやＦＴＭ等の光配線架に、開通待ちのジャンパーケーブル（光ファイバーケーブル）を保持する保持部材及び保持ユニットに適用する場合を例示する。
【００１６】
（Ａ−１）実施形態の構成
（Ａ−１−１）光配線架５の構成
図１は、実施形態に係る光配線架の構成を示す構成図である。
【００１７】
図１において、光配線架５は、外枠５５と、外枠５５の内部に設けられている複数の仕切板５１とを有して構成されている。つまり、光配線架５は、外枠５５及び複数の仕切板５１によって、複数段に仕切られた棚状のものである。例えば、図１では、光配線架５が、６個の仕切板５１を有しており、６段の棚を持つものを例示している。なお、光配線架５の段数は特に限定されるものではない。
【００１８】
光配線架５を構成する外枠５５及び各仕切板５１は、一般的に、例えば鉄等の金属製の材質で形成されている。
【００１９】
光配線架５の各段の奥方には、端子板５２が配設されている。各端子板５２には、例えば矩形形状の開口部５６が設けられており、開口部５６には、ジャンパーケーブル７の芯線の光コネクタを成端（取付）する複数の成端ジャック５３が設けられている。
【００２０】
光配線架５の各段に設けられている成端ジャック５３は、例えば、上下方向に複数の成端ジャックが並べられて設けられており、このような上下方向に設けられた複数の成端ジャックが、左右方向に複数配列されている。
【００２１】
各成端ジャック５３は、所外光ファイバ（図示しない）が接続されており、ジャンパーケーブル７の芯線の光コネクタが成端されることにより、所望の光回線を開通させるポート部である。つまり、成端ジャック５３にジャンパーケーブル７の芯線が接続されることにより、所内光ファイバーであるジャンパーケーブル７と、所外光ファイバーとが接続して光回線が開通する。
【００２２】
（Ａ−１−２）光ケーブル保持ユニット１、光ケーブル保持部材２の構成
次に、実施形態に係る光ケーブル保持ユニット１、光ケーブル保持部材２の構成を、図面を参照しながら詳細に説明する。
【００２３】
図２は、実施形態に係る光ケーブル保持ユニット１の構成を示す構成図である。図３は、実施形態に係る１個の光ケーブル保持部材２と１個の本体部３との関係を説明する説明図である。図４は、実施形態に係る光ケーブル保持部材２の構成を示す背面斜視図である。
【００２４】
図２において、光ケーブル保持ユニット１は、複数の光ケーブル保持部材２（２−１〜２−１６）と、本体部３とを有する。なお、以下では、光ケーブル保持部材２−１〜２−１６のそれぞれに共通する構成を説明する場合には、「光ケーブル保持部材２」と表現して説明する。
【００２５】
光ケーブル保持ユニット１は、本体部３に、複数の光ケーブル保持部材２を収納できるものであり、また光ケーブル保持部材２を個別に本体部３から着脱できるものである。
【００２６】
ジャンパーケーブル７の芯線を保持するために、本体部３から一度取り外された光ケーブル保持部材２は、芯線を保持した状態で、再度本体部３に収納されるようにしてもよいし、芯線を保持した状態で、光ケーブル保持部材２が、１つのユニットとして個別に光配線架５の仕切板５１や外枠５５に取り付けられるようにしてもよい。
【００２７】
光ケーブル保持ユニット１は、光ケーブル保持部材２がジャンパーケーブルの複数の芯線を保持した状態で、光配線架５の仕切板５１や外枠５５に磁石により取り付けできるものである。
【００２８】
そのため、従来のように、開通待ちの複数の芯線を輪ゴムなどで束ねて、複数の芯線が入り乱れた状態で放置する必要がなくなる。つまり、整頓された状態で、開通待ちの複数の芯線を保持できる。
【００２９】
なお、光ケーブル保持ユニット１を光配線架５の仕切板５１や外枠５５に取り付ける磁石は、後述する光ケーブル保持部材２の背面にある磁石２５（図３）であってもよいし、本体部３の背面にある磁石であってもよい。
【００３０】
本体部３は、複数の光ケーブル保持部材２−１〜２−１６のそれぞれを長手方向に並べて収納するものである。本体部３の材質は、特に限定されるものではなく、例えば、木材、プラスチック、金属等で形成されるものであってもよい。
【００３１】
図２では、本体部３が、１６個の光ケーブル保持部材２−１〜２−１６を長手方向に一列に並べて収納する場合を例示しているが、本体部３の収納数は、これに限定されるものではない。例えば、光配線架５で、ジャンパーケーブル７の接続作業を行なう作業員等の運用に応じて、本体部３は、２個の光ケーブル保持部材２を収納するものであってもよいし、又は３個、４個、８個などの光ケーブル保持部材２を収納するようにしてもよい。
【００３２】
また、本体部３は、長手方向に対して垂直方向（すなわち、図２、図３の上方向）に、光ケーブル保持部材２を着脱可能な構造となっている。図３に示すように、本体部３は、上下方向に移動する光ケーブル保持部材２の各被ガイド部２２をガイドするガイド部３１と、収納された光ケーブル保持部材２の底部を支持する支持部３２とを有する。
【００３３】
光ケーブル保持部材２は、開通待ちのジャンパーケーブル７の芯線を保持するものである。
【００３４】
図３に示すように、光ケーブル保持部材２は、基体２１、被ガイド部２２、光コネクタ挿抜部２３を有する。また、図４に示すように、光ケーブル保持部材２は、その背面に磁石２５を有する。
【００３５】
基体２１は、光コネクタ挿抜部２３を固定するものである。基体２１と光コネクタ挿抜部２３との固定方法は、例えば、接着剤を用いて固定してもよいし、小型のネジ（例えばプラスチック製のネジなど）で固定するようにしてもよい。また、光ケーブル保持部材２の形成過程において、基体と光コネクタ挿抜部２３とを一体的に形成するようにしてもよい。基体２１の材質は、特に限定されるものではなく、例えば、木材、プラスチック、金属等を適用できる。
【００３６】
被ガイド部２２は、光ケーブル保持部材２を着脱可能とするため、図３に示すように、本体部３の収納面（内面）に設けられたガイド部３１に沿って案内されるものである。被ガイド部２２は、光ケーブル保持部材２の基体２１の両端部のそれぞれに、凸部形状として設けられている。
【００３７】
この実施形態では、本体部３のガイド部３１が凹部形状であり、各被ガイド部２２は凸部形状である場合を例示している。
【００３８】
しかし、光ケーブル保持部材２を本体部３から着脱できる構造であれば、この形状に限定されるものではない。例えば、本体部３のガイド部３１が凸部形状として、被ガイド部２２が凹部形状であってもよい。また例えば、基体２１の両端部のうち、いずれか一方の端部にのみ、凸部形状の被ガイド部２２を備えるようにしてもよい。
【００３９】
また例えば、凸部形状等の被ガイド部２２と本体部３の凹部形状等のガイド部３１とを設けることなく、基体２１の両端部の平面部が、本体部３の収納面（内面）に案内されて、光ケーブル保持部材２が着脱できる構造であってもよい。この例の場合、基体２１の両端部の平面部が被ガイド部２２として機能し、本体部３の収納面（内面）がガイド部３１として機能する。
【００４０】
光コネクタ挿抜部２３は、ジャンパーケーブル７の芯線７１（図５、図６参照）の先端部に設けられた光コネクタ７２を挿入して、ジャンパーケーブル７の芯線７１を保持するものである。
【００４１】
例えば、開通待ちのジャンパーケーブル７の芯線７１を成端せずに放置するとき、作業員が、図５に示すように、芯線７１の光コネクタ７２を光コネクタ挿抜部２３に挿入し、芯線７１を保持することができる。また、光回線を開通させるために、光コネクタ挿抜部２３に挿入されている芯線７１を成端するときには、作業員が、図６に示すように、光コネクタ挿抜部２３から芯線７１の光コネクタ７２を取り外して、その芯線を成端させる。
【００４２】
ここで、光コネクタ挿抜部２３は、図５、図６に示すように、弾性部材で形成された筒状の形状となっている。光コネクタ挿抜部２３の筒部の内径は、芯線７１の光コネクタ７２の外径と同程度又はやや小さくすることが望ましい。
【００４３】
また、光コネクタ挿抜部２３が弾性部材で形成している理由は、前記筒部に挿入される芯線７１の光コネクタ７２を確実に保持できる共に、光コネクタ７２を前記筒部に挿抜する作業員の作業負担を軽減するためである。
【００４４】
例えば、作業員が前記筒部に光コネクタ７２を挿抜して芯線を保持しようとする際、確実に光コネクタ７２を保持するために、光コネクタ挿抜部２３の筒部の奥まで、光コネクタ７２を挿入することが望ましい。
【００４５】
しかし、作業員によっては、光コネクタ挿抜部２３の筒部の入り口から浅い位置までしか光コネクタ７２を挿入しないようなケースも考えられる。このような場合、光コネクタ７２が光コネクタ挿抜部２３から抜け落ちて、芯線７１が落下していまい、芯線７１の故障や破損等も考えられる。
【００４６】
そこで、この実施形態では、上記のようなケースであっても、弾性部材で光コネクタ挿抜部２３を形成することで、筒部の内面と挿入された光コネクタ７２との摩擦力が大きくなり、光コネクタ７２の抜け落ちを防止することができる。
【００４７】
また、この実施形態のように、弾性部材のように柔らかい（軟質系）の部材とすることにより、光コネクタ７２の挿抜作業を簡単に行なえることができる。
【００４８】
さらには、ジャンパーケーブル７の芯線７１の光コネクタ７２には、様々な種類があり、光コネクタ７２の外径が異なることもある。しかし、軟質系の弾性部材とすることにより、光コネクタ７２の外径が比較的大きいものであっても、光コネクタ挿抜部２３への光コネクタ７２の挿入が可能となる。つまり、様々な種類の光コネクタ７２であっても、光コネクタ７２の挿抜が可能となる。
【００４９】
なお、光コネクタ挿抜部２３の材質は、弾性部材であれば、様々な部材を用いることができるが、例えば、軟質系プラスチック、エラストマー、ゴム、シリコンゴム、ネオブレン、ポリウレタン等を用いることができる。
【００５０】
磁石２５は、基体２１の背面に固定されている。ここで、光ケーブル保持部材２の基体２１の背面に磁石２５を固定している理由は、図１に例示するように、光ケーブル保持部材２を収納している光ケーブル保持ユニット１自体、また、光ケーブル保持ユニット１から取り外された光ケーブル保持部材２を個別に、光配線架５の仕切板５１や外枠５５に取り付ける（くっつける）ためである。
【００５１】
上述したように、光配線架５の仕切板５１や外枠５５は、一般的に金属で形成されたものである。そのため、芯線７１の光コネクタ７２を保持している１個の光ケーブル保持部材２を、仕切板５１や外枠５５に磁石２５で取り付けることで（図１参照）、従来のように、輪ゴムなどで束ねて置いておく必要がなくなる。
【００５２】
ところで、光ファイバーである芯線７１は、折り曲げ等により、破損したり故障したりするため、芯線７１の取り扱いには注意が必要である。
【００５３】
この点ついて、光ケーブル保持部材２は、芯線７１の先端部に設けられた光コネクタ７２を光コネクタ挿抜部２３に挿入され、１本の芯線７１の光コネクタを保持したそのままの状態で、磁石２５により、光ケーブル保持部材２を仕切板５１や外枠５５に取り付けることができる。つまり、１本の芯線７１の先端部に光ケーブル保持部材２が取り付けられた状態で、その芯線７１を個別に保持できるため、芯線７１の折り曲げ等を防止できる。
【００５４】
また、光ケーブル保持部材２が本体部３に収納されている場合には、光ケーブル保持ユニット１自体も、仕切板５１や外枠５５に磁石２５で取り付けることができる（図１参照）。
【００５５】
（Ａ−１−３）光ケーブル保持部材２の変形実施形態
図７は、変形実施形態に係る光ケーブル保持部材２の構成を示す構成図である。
【００５６】
図７に示すように、光ケーブル保持部材２は、１個の基体２１に、複数（図７では、２個）の光コネクタ挿抜部２３が固定されている場合を例示している。
【００５７】
このように、１個の光ケーブル保持部材２が複数個の光コネクタ挿抜部２３を備えることにより、光回線の同時期に開通要求のあった芯線７１が複数ある場合には、複数の芯線を同時に光ケーブル保持部材２で保持することができる。
【００５８】
なお、図７では、２個の光コネクタ挿抜部２３が固定されている場合を例示したが、３個、４個、８個、１６個の光コネクタ挿抜部２３が１個の基体に固定されるようにしてもうよい。
【００５９】
この場合、光ケーブル保持ユニット１は、１個の光コネクタ挿抜部２３を有する光ケーブル保持部材２、複数の光コネクタ挿抜部２３を有する光ケーブル保持部材２を同時に収納するようにしてもよい。
【００６０】
つまり、１本の芯線７１を保持できる光ケーブル保持部材と、複数の光ケーブル保持部材とを一緒に収納するようにしてもよい。
【００６１】
（Ａ−１−４）光ケーブル保持部材２の芯線識別番号及び芯線識別色の説明
図８は、ジャンパーケーブル７の構成を説明する説明図である。なお、図８は、ＩＤＭのジャンパーケーブル７の構成例を説明している。
【００６２】
光回線を開通させるために、成端ジャック５３に接続するジャンパーケーブル７は、図８に例示するように、例えば６４本の芯線７１を有している。
【００６３】
ジャンパーケーブル７を構成している６４本の芯線７１は、成端の誤りを防止するため、黄色、白色、緑色、赤色の４種類に分類され、それぞれの色の芯線束が１６本ずつ分類されている。図８では、１６本束の黄色芯線を「黄色コード７１１」、１６本束の白色芯線を白色コード７１２」、１６本束の緑色芯線を「緑色コード７１３」、１６本束の赤色芯線を「赤色コード７１４」と表記している。
【００６４】
また、それぞれの芯線には、「１」〜「６４」の芯線番号が付されている。この芯線番号は、例えば、光コネクタ７２の付近にタグが付けられており、このタグに芯線番号が記載されている。
【００６５】
この実施形態では、上記のように、ジャンパーケーブル７を構成している各芯線７１が色分けされていること、芯線番号を付されていることを利用して、作業員が成端する芯線７１を誤って接続しないことを考慮して、光ケーブル保持部材２を構成している。
【００６６】
以下では、実施形態に係る光ケーブル保持部材２の芯線識別番号２４及び芯線識別色を、図面を参照しながら説明する。
【００６７】
図１及び図３において、光ケーブル保持部材２の各光コネクタ挿抜部２３は、黄色、白色、緑色、赤色のいずれかの色をもつ弾性部材で形成されている。
【００６８】
つまり、ジャンパーケーブル７の各芯線７１（黄色コード７１１、白色コード７１２、緑色コード７１３、赤色コード７１４）の色に対応するように、各光コネクタ挿抜部２３は、黄色、白色、緑色、赤色のいずれかの色で識別されている。
【００６９】
また、図１及び図３に示すように、光ケーブル保持部材２には、芯線識別番号２４が付されている。
【００７０】
つまり、ジャンパーケーブル７の各芯線７１（黄色コード７１１、白色コード７１２、緑色コード７１３、赤色コード７１４）に付されている芯線番号に対応する番号（芯線識別番号２４）が各光コネクタ挿抜部２３に表記されている。
【００７１】
このように、光コネクタ挿抜部２３が、芯線７１の色で分類されて、かつ、芯線識別番号２４が付与されていることで、作業員は芯線７１の色及び芯線番号に対応する光ケーブル保持部材２で保持することができる。その結果、成端する芯線７１の誤接続を防止できると共に、複雑な成端作業に係る負担を軽減することができる。
【００７２】
なお、この実施形態では、芯線識別番号２４が光コネクタ挿抜部２３の表面に付されている場合を例示しているが、芯線識別番号２４は、光コネクタ挿抜部２３付近（例えば、基体２１上など）に表記するようにしてもよい。
【００７３】
（Ａ−２）実施形態の効果
以上のように、この実施形態によれば、光ケーブル保持部材が弾性部材で形成された光コネクタ挿抜部を有することにより、ジャンパーケーブルの芯線の光コネクタを容易かつ確実に挿入できる。また、光ケーブル保持部材が磁石を有しているため、光ケーブル保持部材を光配線架のフレーム部分に個別に取り付けることができる。
【００７４】
その結果、光ファイバである芯線の折り曲げ等による破損や故障等を防止しながら、芯線を保持できる。
【００７５】
また、従来のように煩雑に置かれている開通待ちの芯線束の中から所望の芯線を見つけて成端作業をしていたが、開通待ちの芯線を保持している光ケーブル保持部材を光配線架のフレーム部分に取り付けることで、整頓された状態で芯線を保持できる。
【００７６】
さらに、光コネクタ挿抜部は、芯線識別色の弾性部材で形成されており、芯線識別番号が付与されているため、開通待ちの芯線の色及び芯線番号に対応する光ケーブル保持部材に、その芯線を保持することにより、誤接続を回避でき、かつ、作業効率が向上する。
【００７７】
（Ｂ）他の実施形態
上述した実施形態においても種々の変形実施形態を言及したが、本考案は、以下の変形実施形態にも適用できる。
【００７８】
（Ｂ−１）上述した実施形態において、光ケーブル保持ユニット１は、光ケーブル保持部材２を上下方向（長手方向に対して垂直方向）に脱着する場合を例示した。しかし、光ケーブル保持部材２は、本体部を、左右方向（長手方向と同一方向）にスライドさせて脱着できるようにしてもよい。
【００７９】
（Ｂ−２）上述した実施形態では、光ケーブル保持ユニット１は、横置きの場合を例示したが、縦置きであってもよい。つまり、光ケーブル保持ユニット１は、縦方向に複数の光ケーブル保持部材２を並べて収納し、それぞれの光ケーブル保持部材２を横方向にスライドさせて、各光ケーブル保持部材２を個別に脱着させてもよい。
【００８０】
（Ｂ−３）上述した実施形態では、光ケーブル保持部材２の基体２１の背面に磁石を設ける場合を例示した。しかし、基体２１の背面のほかに、４つの端面のいずれか又は全てに磁石を設けたり、４つの端面のいずれかに金属板を設けたりしてもよい。これにより、ある光ケーブル保持部材２を、他の光ケーブル保持部材２とくっつけて（取り付けて）用いることができる。
【符号の説明】
【００８１】
１…光ケーブル保持ユニット、２（２−１〜２−１６）…光ケーブル保持部材、２１…基体、２２…被ガイド部、２３…光コネクタ挿抜部２３…芯線識別番号、２５…磁石、３…本体部、３１…ガイド部、３２…支持部。 
【図１】
0003204959.tif 000003
【図２】
0003204959.tif 000004
【図３】
0003204959.tif 000005
【図４】
0003204959.tif 000006
【図５】
0003204959.tif 000007
【図６】
0003204959.tif 000008
【図７】
0003204959.tif 000009
【図８】
0003204959.tif 000010
【手続補正書】
【提出日】平成28年4月18日(2016.4.18)
【手続補正１】
【補正対象書類名】実用新案登録請求の範囲
【補正対象項目名】全文
【補正方法】変更
【補正の内容】
【実用新案登録請求の範囲】
【請求項１】
先端部に光コネクタが付与されている光ケーブルを保持する光ケーブル保持部材において、
上記光ケーブルの光コネクタの挿入又は抜き出しを可能とする筒状の１又は複数の光コネクタ挿抜部と、
上記各光コネクタ挿抜部を固定する基体と、
上記各光コネクタ挿抜部を固定する上記基体の端面と対向する端面に設けられている磁石と
を備えることを特徴とする光ケーブル保持部材。
【請求項２】
上記各光コネクタ挿抜部が、弾性部材で形成されていることを特徴とすることを特徴とする請求項１に記載の光ケーブル保持部材。
【請求項３】
上記光ケーブルが、光配線架に設けられている成端ジャックに接続される光ファイバーの芯線であって、色及び芯線番号が付されているものであり、
上記各光コネクタ挿抜部が、光ケーブルの芯線である上記光ファイバーに付されている色に応じた有色の弾性部材であって、上記芯線番号に対応する芯線識別番号が付されているものである
ことを特徴とする請求項１又は２に記載の光ケーブル保持部材。
【請求項４】
請求項１〜３のいずれかに記載の複数の光ケーブル保持部材と、
上記複数の光ケーブル保持部材を収納する本体部と
を備えることを特徴とする光ケーブル保持ユニット。
【請求項５】
上記本体部は、
長手方向に、上記複数の光ケーブル保持部材を収納するものであって、
上記複数の光ケーブル保持部材のそれぞれの収納部の内面に、上記各光ケーブル保持部材の移動をガイドするガイド部
を有し、
上記各光ケーブル保持部材が、
基体を有するものであり、
上記基体の両端部又はいずれか一方の端部に、上記本体部のガイド部に沿ってガイドされる被ガイド部
を有する
ことを特徴とする請求項４に記載の光ケーブル保持ユニット。
【手続補正２】
【補正対象書類名】明細書
【補正対象項目名】００１０
【補正方法】変更
【補正の内容】
【００１０】
上述した課題を解決するために、第１の本考案に係る光ケーブル保持部材は、先端部に光コネクタが付与されている光ケーブルを保持する光ケーブル保持部材において、（１）光ファイバーの光コネクタの挿入又は抜き出しを可能とする筒状の１又は複数の光コネクタ挿抜部と、（２）各光コネクタ挿抜部を固定する基体と、（３）各光コネクタ挿抜部を固定する基体の端面と対向する端面に設けられている磁石とを備えることを特徴とする。